(57)【特許請求の範囲】
【請求項１】
ある情報源から視聴者のテレビセットに一次配信チャネル上で提供されている生放送テレビ（ＴＶ）の、オンデマンド型インスタントリプレイを視聴者に提供するための方法であって、
（ａ）情報源によって提供される生放送ＴＶの供給を得るステップと、
（ｂ）その得られる供給のコンテンツをアプリケーションサーバの記憶装置に記憶するステップと、
（ｃ）前記視聴者のユーザ機器（ＵＥ）から無線アクセスネットワーク上でＳＩＰを介してその記憶装置からそのコンテンツの一部分を選択するステップと、
（ｄ）その情報源によって前記視聴者のテレビセットに一次配信チャネル上で提供される生放送ＴＶが妨げられない状態のままにしておきながら、無線アクセスネットワーク上でそのコンテンツの選択された一部分を前記視聴者のユーザ機器（ＵＥ）に配信するステップと
を含む、方法。
【請求項２】
ＵＥからインスタントリプレイ要求を受信するステップと、前記要求を受信することに応答して
前記要求に従ってステップ（ｃ）および（ｄ）の実行をトリガするステップと
をさらに含む、請求項１に記載の方法。
【請求項３】
ＵＥからリプレイパラメータを受信するステップと、前記受信したリプレイパラメータの値に応答して
記憶装置からコンテンツのどの部分が選択されたのか、およびＵＥに配信されるコンテンツの出現のうちの少なくとも１つを特定するステップと
をさらに含む、請求項１に記載の方法。
【請求項４】
配信されるコンテンツが、インターネットプロトコル（ＩＰ）マルチメディアサブシステム（ＩＭＳ）を介してＵＥに配信される、請求項１に記載の方法。
【請求項５】
ステップ（ｄ）の実行中にＵＥからリプレイ制御信号を受信するステップと、その信号に応答して
ＵＥに配信されるコンテンツの出現をもたらすように配信を変更するステップと
をさらに含む、請求項１に記載の方法。
【請求項６】
ある情報源から視聴者のテレビセットに一次配信チャネル上で提供されている生放送テレビ（ＴＶ）の、オンデマンド型インスタントリプレイを視聴者に提供するためのシステムであって、
情報源によって提供される生放送ＴＶの供給を受信するための受信手段と、
その受信される供給のメディアコンテンツを記憶するための記憶手段と、
無線アクセスネットワーク上でＳＩＰを介して前記視聴者のユーザ機器（ＵＥ）から受信する入力に応答してその記憶手段からのそのコンテンツの部分を選択するための選択手段と、
その情報源によって前記視聴者のテレビセットに一次配信チャネル上で提供される生放送ＴＶが妨げられない状態のままにしておきながら、無線アクセスネットワーク上でそのコンテンツの選択された部分を前記視聴者のＵＥに配信するための配信手段と
を備える、システム。
【請求項７】
配信手段がインターネットプロトコル（ＩＰ）マルチメディアサブシステム（ＩＭＳ）を含む、請求項６に記載のシステム。
【請求項８】
視聴者のＵＥが無線アクセスネットワークを通して選択的にＩＭＳと通信する、請求項７に記載のシステム。
【請求項９】
各視聴者のＵＥが、無線アクセスネットワークによって供給される移動ノードである、請求項８に記載のシステム。
【請求項１０】
コンテンツの所与の部分の人気を特定するために、そのコンテンツの所与の部分が選択手段によって選択される回数または頻度のうちの少なくとも１つをモニタリングするためのポーリング手段
をさらに備える、請求項６に記載のシステム。
【発明の詳細な説明】
【技術分野】
【０００１】
本発明の主題は無線通信ネットワークの技術分野に関する。インターネットプロトコル（ＩＰ）マルチメディアサブシステムと関連した特定の応用例が見つかり、本明細書はその応用例について具体的に言及する。ただし、本発明の主題の諸態様は、他の同様のネットワーク、装置、および／または応用例にも修正できることが理解されよう。
【背景技術】
【０００２】
概して、テレビ（ＴＶ）ネットワークは、例には地上放送ＴＶ、ケーブルＴＶ、衛星ＴＶ、等が含まれる従来の配信チャネルにより、多様なコンテンツまたは番組を視聴者に提供する。そのようなコンテンツまたは番組をリアルタイムでテレビ放送することを、本明細書では概して生放送ＴＶと呼ぶ。
【０００３】
理解できるように、視聴者は、見ている生放送ＴＶの番組または生放送ＴＶコンテンツのある選択された一部分のインスタントリプレイを見ることを時々望むことがある。これは例えばスポーツイベントや他の同様のコンテンツについて特に当てはまり得る。したがって、視聴者にインスタントリプレイを提供するために様々な解決策が開発されてきた。しかし、これらの解決策には特定の制限や欠点がある傾向がある。
【０００４】
例えば、特に上述のジャンルで共通であるように、あるイベントを扱う際、ＴＶネットワークはそのイベントの特定の部分を選択し、それらの部分のインスタントリプレイをテレビ放送の通常の方法で提供することができる。しかし、ＴＶネットワークによって提供されるインスタントリプレイは、特定の視聴者がリプレイされるのを見ることを望む、そのイベントの一部分に一致しない可能性がある。さらに、テレビ放送の情報源からのインスタントリプレイをテレビ放送することは、そうでない場合のそのイベントの生中継を妨げ、概してそのテレビ放送を受信するすべての視聴者にそのインスタントリプレイを受信することも強いる。
【０００５】
別の解決策は、テレビ放送の受信端において、例えばデジタルビデオレコーダ（ＤＶＲ）（パーソナルビデオレコーダ（ＰＶＲ）としても知られている）や他の同様の機器など、セットトップボックス（ＳＴＢ）または消費者ベース機器を利用する。そのような機器は、視聴者が生放送ＴＶを所望のように一時停止、巻戻し、およびさもなければリプレイすることを概して可能にする。しかし、ときとしてそのような機器を使用できない、または使用することが望ましくない可能性がある。例えば、多くの例では、適当なＳＢＴに接続されておらず、または適当なＳＢＴを備えておらず、したがってインスタントリプレイ機能を利用できない可能性があるＴＶセットを視聴者が見ている可能性がある。別の場合では、視聴者が、例えば酒場でスポーツイベントを見ているより大きな視聴者のグループの一部である可能性がある。したがって、その視聴者はインスタントリプレイ機能が利用できる場合でも、その機能を個人的に操作できない可能性がある。さらに、そのグループ内の１人の視聴者がテレビ放送されるイベントの所望の部分をその機器を使用して選択的にリプレイできても、そうすることはその生放送ＴＶを他の視聴者が楽しむことを妨害する恐れがある。いずれにしても、そのような受信端機器を使用することは、その機器によってアクセスされる配信チャネルによって視聴されている、そうでない場合の生放送ＴＶを概して妨げる。
【発明の概要】
【発明が解決しようとする課題】
【０００６】
上記の問題などを克服する、新しいかつ改善されたシステムおよび／または方法を提供する。
【課題を解決するための手段】
【０００７】
一実施形態は、ある情報源から一次配信チャネル上で提供されている生放送テレビ（ＴＶ）の、オンデマンド型インスタントリプレイを視聴者に提供するための方法を対象とする。この方法は、情報源によって提供される生放送ＴＶの供給を得るステップと、その得られる供給のコンテンツを記憶装置に記憶するステップと、その記憶装置からそのコンテンツの一部分を選択するステップと、その情報源によって一次配信チャネル上で提供される生放送ＴＶが妨げられない状態のままにしておきながら、そのコンテンツの選択された一部分を視聴者のユーザ機器（ＵＥ）に配信するステップとを含む。
【０００８】
別の実施形態は、ある情報源から一次配信チャネル上で提供されている生放送テレビ（ＴＶ）の、オンデマンド型インスタントリプレイを視聴者に提供するためのシステムを対象とする。このシステムは、情報源によって提供される生放送ＴＶの供給を受信するための受信手段と、その受信される供給のメディアコンテンツを記憶するための記憶手段と、視聴者のユーザ機器（ＵＥ）から受信する入力に応答してその記憶手段からのそのコンテンツの部分を選択するための選択手段と、その情報源によって一次配信チャネル上で提供される生放送ＴＶが妨げられない状態のままにしておきながら、そのコンテンツの選択された部分を個々の視聴者のＵＥに配信するための配信手段とを含む。
【０００９】
本明細書で開示する本発明の主題の多数の利点および利益は、本明細書を読み、理解することにより当業者に明らかになるであろう。
【００１０】
本発明の主題は多様な構成要素および構成要素の配置、ならびに多様なステップおよびステップの取合せの形をとることができる。図面は単に好ましい実施形態を示すためのものにすぎず、限定的なものとして解釈すべきでない。さらに、図面は原寸に比例していないことが理解されよう。
【図面の簡単な説明】
【００１１】
【図１】本発明の主題の諸態様を実施するのに適した例示的ネットワークアーキテクチャを示すブロック図である。
【図２】本発明の主題の諸態様により、オンデマンド型インスタントリプレイサービスが運営される例示的方法を示す柵状の呼の流れ図である。
【発明を実施するための形態】
【００１２】
明瞭性および簡潔性のために、本明細書は、当技術分野で一般的に知られている構造的要素および／または機能的要素、関連する通信標準、プロトコル、および／またはサービス、ならびに他の構成要素を、それらが本明細書に提示される好ましい１つまたは複数の実施形態に従っておよび／または適合するように修正されもしくは改変されている場合を除き、それらの構成または動作に関してさらに詳細に説明することなく言及するものとする。
【００１３】
概して、本明細書は、従来の一次配信チャネル上で受信される対応するリアルタイムのテレビ放送が妨げられない状態のままにしておきながら、生放送ＴＶコンテンツのインスタントリプレイに関するオンデマンド型のサービスを視聴者に提供するシステムおよび／または方法に関する。より具体的には、ＴＶネットワークまたは他の同様の情報源が、従来の配信チャネルにより番組、イベント、または他のコンテンツのリアルタイムのテレビ放送を適宜提供する。さらに生放送ＴＶの供給は、その例えばデジタル方式での記憶先であるインスタントリプレイアプリケーションサーバ（ＩＲＡＳ）にも提供される。したがって、従来の一次配信チャネル上で受信される生放送ＴＶを見ながら、オンデマンド型インスタントリプレイサービスに加入する視聴者は、インターネットプロトコル（ＩＰ）マルチメディアサブシステム（ＩＭＳ）によりＩＲＡＳに選択的にアクセスして、その従来の一次配信チャネル上で受信される生放送ＴＶが妨げられない状態のままにしておきながら、ＩＲＡＳから得られる対応するプログラム、イベント、または他のコンテンツの所望の部分を自身の無線モバイルユーザ機器（ＵＥ）上でリプレイすることができる。
【００１４】
無線通信分野で知られているように、このＩＭＳは、ＩＰマルチメディアを無線モバイル装置ユーザに配信するための、（第３世代パートナーシッププロジェクト（３ＧＰＰ）として知られている無線標準化団体により最初に設計された）アーキテクチャフレームワークである。すなわち、このＩＭＳは、無線通信システムまたは無線通信ネットワークの中でＩＰマルチメディアアプリケーションおよび／またはＩＰマルチメディアサービスを使用することをサポートする。概して、このＩＭＳは無線ネットワークサービスのプロバイダおよび／または事業者が、インターネットアプリケーション、サービス、および／もしくは（例えばＩＰマルチメディアセッションを管理するために使用されるセッション開始プロトコル（ＳＩＰ）を含む）プロトコルに基づきかつ／またはそれらの上に構築されるマルチメディアサービスを、自らの加入者（すなわちモバイルユーザ）に提供できるようにする。
【００１５】
次に図１を参照すると、従来の一次配信チャネル（例えば地上放送ＴＶ、ケーブルＴＶ、衛星ＴＶ、等）により番組、イベント、または他の同様のコンテンツのリアルタイムのテレビ放送を提供する、生放送ＴＶコンテンツのプロバイダまたは情報源１０（例えば放送ＴＶネットワーク、ケーブルＴＶネットワーク事業者もしくはプロバイダ、衛星ＴＶネットワーク事業者もしくはプロバイダ、または他の何らかの同様の情報源）が示されている。図１に示すように、適宜に視聴者２０は、情報源１０から提供される生放送ＴＶを、一次配信チャネル上で生放送ＴＶを受信するＴＶセット２２または他の同様のＴＶ視聴機器もしくは装置上で選択的に見る。さらに、情報源１０からの生放送ＴＶの供給は、オンデマンド型インスタントリプレイ（ＯＤＩＲ）サービスを例えば視聴者２０などの１人または複数の加入者に提供するインスタントリプレイアプリケーションサーバ（ＩＲＡＳ）３０にも供給され、または他の方法でＩＲＡＳ３０によって得られる。
【００１６】
本明細書の明瞭性および簡潔性のために、図１には１つの情報源１０と１人の視聴者２０しか示さないが、実際は任意の所与の時間において、概して、複数の同様に状態にある情報源が、多様な生放送ＴＶコンテンツを複数の一次配信チャネルにより、複数の同様の状態にある視聴者に提供する。同様に、複数の情報源のうちの１つまたは複数が供給をＩＲＡＳ３０にオプションで提供し、それを受けてそのＩＲＡＳ３０が、ＯＤＩＲサービスにオプションで加入する複数の視聴者のうちの１人または複数に対してＯＤＩＲサービスをオプションで提供する。
【００１７】
コンテンツの所望の部分がＯＤＩＲサービスを使用する視聴者２０によって選択的にアクセスされ得るように、ＩＲＡＳ３０は、情報源１０によって提供され得られる供給のコンテンツを適当な記憶装置３２に、受信されるままの状態で書き込み、または他の方法で記憶する。例えばこの記憶装置３２は、適当にはランダムアクセスハードディスクのアレイまたはバンクなどである。
【００１８】
適当な実施形態では、ＵＥ２４にＩＭＳコアネットワーク４２を介してＩＲＡＳ３０へのアクセスを提供する無線アクセスネットワーク４０によって供給されるＵＥ２４を用いることにより、視聴者２０はＯＤＩＲサービスに選択的にアクセスする。適当な実施形態では、このＵＥ２４は、通常の方法で無線アクセスネットワーク４０と機能的に通信する、例えば携帯電話、無線携帯情報端末（ＰＤＡ）、他の適当な移動局（ＭＳ）や移動端末（ＭＴ）などの移動ノード（ＭＮ）である。
【００１９】
概して、この無線アクセスネットワーク４０には、通常の方法でＩＭＳコアネットワーク４２に機能的に接続され、かつ／または通信する無線アクセスネットワーク（ＲＡＮ）上を搬送されるＩＰデータで実施される。例えばこのＲＡＮ内では、ＵＥ２４に無線周波数（ＲＦ）または他の適当な無線もしくは電波インタフェースを提供するために、１つまたは複数の基地局が用いられる。各基地局（ＢＳ）は、そのＢＳによって供給される指定された地理的領域内、すなわちそのＢＳによって供給される特定のセル内で前述のインタフェースを適宜提供する。したがって、視聴者２０によりＵＥ２４がセルからセルへと運ばれる際、それらのセルを供給する個々の基地局がＲＡＮへの前述のインタフェースをＵＥ２４に提供し、それによりＵＥ２４をＩＭＳコアネットワーク４２に機能的に接続する。さらにこのＲＡＮは、ＵＥ２４がそれを介してＩＭＳコアネットワーク４２に通常の方法で機能的に接続される、広域ローカルアクセスネットワーク（ＷＬＡＮ）も含むことができる。
【００２０】
図示の実施形態では、ＳＩＰベース制御モジュール３４は、視聴者２０が、記憶装置３２からのコンテンツの所望の部分に選択的にアクセスし、かつ／またはＩＲＡＳ３０からＵＥ２４へのＩＭＳコアネットワーク４２を介したその配信を制御することを可能にする。適当には、標準的なＩＭＳサービス制御（ＩＳＣ）インタフェースが、ＩＲＡＳ３０をＩＭＳコアネットワーク４２内でサポートされる適当な呼セッション制御機能（ＣＳＣＦ）に接続し、ＵＥ２４上のクライアントが、ＩＲＡＳ３０内のＳＩＰベース制御モジュール３４によるコンテンツ配信を選択しかつ／または制御するための、視聴者２０向けの便利なユーザインタフェースを提供する。したがって、生放送ＴＶがＴＶセット２２により一次配信チャネル上で受信されながら、ＯＤＩＲサービスに加入する視聴者２０は、自身のＵＥ２４からＩＭＳコアネットワーク４２を介してＩＲＡＳ３０にアクセスし、ＩＲＡＳ３０からＩＭＳコアネットワーク４２を介して、従来の一次配信チャネル上でＴＶセット２２によって受信される生放送ＴＶが妨げられない状態のままにしておきながら選択コンテンツをリプレイできる自身のＵＥ２４に配信するために、記憶装置３２からの対応するコンテンツの所望の部分を選択することができる。
【００２１】
次に図２を参照すると、この図で示す呼の流れは、ＯＤＩＲサービスがＩＲＡＳ３０により、ＩＭＳコアネットワーク４２を介してＵＥ２４に対して運営される例示的方法を示す。
【００２２】
図示の例では、視聴者２０が自身のＵＥ２４を用いて「インスタントリプレイ要求」メッセージまたは他の適当な信号をＩＭＳコアネットワーク４２を介してＩＲＡＳ３０に送信することにより、ＯＤＩＲサービスへのアクセスを開始し、または他の方法でこのサービスを呼び出す。図のように、ＩＲＡＳ３０は「リプレイパラメータ要求」メッセージまたは他の適当な信号を、ＩＲＡＳ３０からＩＭＳコアネットワーク４２を介してＵＥ２４に返すことによって応答する。したがって、ＵＥ２４は所望のリプレイパラメータを求めて視聴者２０をプロンプトする。例えば、視聴者２０によって選択されるために利用可能である適当なリプレイパラメータには、視聴者２０がリプレイしたい番組、イベント、またはコンテンツの識別情報（例えばこの識別情報にはＥＳＰＮ、ＮＢＣ、ＨＢＯ、ＣＢＳ、ＣＮＮなどのＴＶネットワークの名前、および／またはオハイオ州フットボール試合、マンデーナイトフットボール、２０／２０などの番組、イベント、またはコンテンツのタイトルが含まれ得る）、視聴者２０がどれ位前のリプレイを開始したいのか、または何時のリプレイを開始したいのかについての指示（例えばリプレイを２分前から開始する、または東部標準時（ＥＳＴ）午後５：３４に開始するなど）、視聴者２０によって望まれるリプレイ継続時間または視聴者２０が望むリプレイ終了時間についての指示（例えば１分間リプレイする、またはＥＳＴ午後５：３５に終了する）、視聴者２０がリプレイを見たい速度（例えば通常速度、スローモーション、早送り、等）、および視聴者２０が望むビデオ画質（例えば高解像度、中解像度、低解像度）が限定されずにオプションで含まれる。
【００２３】
適当には、視聴者２０がリプレイパラメータ用の所望の値を選択し、入力し、または他の方法でＵＥ２４に提供し、それを例えば「リプレイパラメータ」メッセージ内または他の適当な信号で、ＵＥ２４からＩＭＳコアネットワーク４２を介してＩＲＡＳ３０に返す。図２は、このリプレイパラメータが１つのパラメータ要求と対応する応答とによって伝えられていると示すが、代わりに、このリプレイパラメータのうちのいずれか１つまたは複数が、複数の別個のパラメータ要求と対応する応答とによってオプションで伝えられる。さらにオプションで、このリプレイパラメータのうちのいずれか１つまたは複数が最初の「インスタントリプレイ要求」に付随し、それにより既に提供されているパラメータを後に要求しなければならないことからＩＲＡＳ３０を解放することができる。さらに、特定のパラメータが提供されていない場合、オプションでＵＥ２４および／またはＩＲＡＳ３０がその代わりのデフォルト値を提供する。
【００２４】
いずれにしても、リプレイパラメータが確立されると、それに従ってＩＲＡＳ３０が適当なコンテンツを記憶装置３２から選択し、その選択したコンテンツを、視聴者２０が見るためにＩＭＳコアネットワーク４２を介してＵＥ２４にストリームしまたは他の方法で配信する。オプションで、ＵＥ２４上への選択されたコンテンツの配信中、視聴者２０は受信されるコンテンツのリプレイを制御するための１つまたは複数の機能を選択することができる。その結果、その視聴者の選択に基づいて、対応する「リプレイ制御」メッセージまたは他の適当な信号がＵＥ２４からＩＭＳコアネットワーク４２を介してＩＲＡＳ３０に送信され、このＩＲＡＳ３０が、その選択された機能に応じてそのコンテンツおよび／またはそのコンテンツの配信を適宜調節し、またはさもなければ調整する。例えば、視聴者２０によって選択されるために利用可能である適当なリプレイ制御機能には、リプレイを速める、遅くする、または静止する機能、リプレイの巻戻し／早送り機能、時間についての前方スキップ／後方ジャンプ機能、リプレイ終了機能、リプレイ継続時間延長機能、カメラアングルまたはズーム変更機能、リプレイ再開機能、およびビデオ画質変更機能が限定されずにオプションで含まれる。
【００２５】
次に再び図１に注目すると、ＩＲＡＳ３０は、例えば視聴者２０などの加入者からＩＲＡＳ３０によって受信されるインスタントリプレイ（ＩＲ）要求をモニタしかつ／または追跡する、ポーリングサービスもしくはポーリング機能３６もオプションで備え、または他の方法で提供される。このポーリング機能３６は、どのコンテンツ部分、すなわちコンテンツクリップが最も人気があり、またはさもなければ加入者により大いに要求されているのかを（例えば適当な統計的分析や他の適した分析によって）検出し、特定し、かつ／またはさもなければ決定する。したがって、特定されるクリップはオプションで多様な、適した方法で利用される。
【００２６】
例えば、このポーリング機能３６により、十分に人気がある、または大いに要求されているものとして特定されるクリップは、ＩＲＡＳ３０によりオプションで加入者にプッシュされまたは提供される。より具体的には、ＩＲ要求がＵＥ２４から受信されるとき、ＩＲＡＳ３０はオプションで、視聴者２０による迅速な選択のために、最も人気があるクリップの現在のリストをＵＥ２４に送信することによって応答する。あるいは、特定のクリップが十分な人気水準に達する場合、そのクリップが選択された加入者にオプションで提供される。例えば、ＩＲＡＳ３０は、例えば適当な提供メッセージまたは他の適当な信号を、ＩＭＳコアネットワーク４２上でまたは他の方法でＵＥ２４に送信することにより、オプションでＵＥ２４との交信を開始する。したがって、この提供を受信すると、ＵＥ２４は、例えば単に指定されたフィーチャーコードを入力する、適当なリンクを選択する、または別の方法によりそのクリップを受信するオプションで、視聴者２０を適宜プロンプトする。別の適当な実施形態では、実際の出来事の後にまたはリアルタイムのテレビ放送がさもなければ終了した後に、加入者により選択的にアクセスされるためにテレビ放送後にオプションで記憶されまたは他の方法で利用可能に保たれるコレクション中に特定されるクリップが保持される。
【００２７】
別の適当な実施形態では、ＩＲＡＳ３０は、ＩＲを要求するときに視聴者２０などの加入者によってＩＲＡＳ３０から選択的に呼び出され、または他の方法で活動化され得る音声テキスト（Ｓ／Ｔ）変換器３８も備え、または他の方法で提供される。したがって、このＳ／Ｔ変換器３８が呼び出されまたは活動化されると、ＩＲＡＳ３０からＩＭＳコアネットワーク４２を介してＵＥ２４に提供されるコンテンツ内の音声が、このＳ／Ｔ変換器３８によりＵＥ２４上で見るためのテキストへと変換される。そのような機能は、例えば視聴者２０が生放送ＴＶの重要な発言やくだりをほんの今聞き逃し、何が発言されたのかを「見る」ために、テキストを用いたインスタントリプレイを望む場合に特に有利である。
【００２８】
さらに別の実施形態では、ＩＲＡＳ３０によりＩＭＳコアネットワーク４２を介してＵＥ２４に提供されるコンテンツ中に、オプションで選択される広告が組み込まれる。適当には、視聴者２０によって選択されまたは他の方法で確立されるリプレイパラメータに従って記憶装置３２から選択されるコンテンツに加え、この広告もＩＲＡＳ３０からＩＭＳコアネットワーク４２を介してＵＥ２４に、例えば他の方法で選択されるコンテンツの先頭に付加されかつ／または添付され、および／または他の方法で選択されるコンテンツに挿入されかつ／またはオーバーレイされてオプションで配信される。
【００２９】
さらに別の適当な実施形態では、このＩＲＡＳ３０はＯＤＩＲサービスを提供するだけでなく、例えば情報源１０によって提供され得られるリアルタイム供給を、ＩＭＳコアネットワーク４２を介してＵＥ２４にブリッジしまたは他の方法で提供することにより、オンデマンド型の生放送ＴＶサービスもオプションで提供する。
【００３０】
結論として、本明細書で提示した特定の例示的実施形態に関連して、特定の構造的特徴および／または機能特徴が、明示された要素および／または構成要素に組み込まれるものとして記載されていることが理解されよう。ただし適当な場合には、これらの機能を同じまたは同様の利益のために、他の要素および／または構成要素にも同様に組み込めることが予期される。所望の用途に適した他の代替実施形態を達成するために、これらの例示的実施形態の様々な側面を必要に応じて選択的に使用し、それにより他の代替実施形態が、その中に組み込まれる諸態様の個々の利点を実現できることも理解されよう。
【００３１】
本明細書に記載の特定の要素または構成要素が、自らの機能をハードウェア、ソフトウェア、ファームウェア、またはその組合せによって適当に実施され得ることも理解されよう。さらに、一緒に組み込まれるものとして本明細書に記載の特定の要素は、適当な状況下では独立型要素とする、またはさもなければ分割することができることが理解されよう。同様に、１つの特定の要素によって実行されるものとして記載した複数の特定の機能を、個々の機能を実行するために独立して機能する複数の別個の要素が実行でき、または特定の個々の機能を分割し、協働して機能する複数の別個の要素が実行することもできる。あるいは、本明細書で互いに異なるものとしてさもなければ記載しかつ／または示した一部の要素もしくは構成要素は、適当な場合には物理的にまたは機能的に組み合わせることができる。
【００３２】
要するに、本明細書は好ましい実施形態を参照して説明してきた。本明細書を読み、理解することにより、他者は修正形態および代替形態を明らかに思いつくであろう。本発明はそのような修正形態および代替形態が添付の特許請求の範囲またはその均等物の範囲内である限りにおいて、そのようなすべての修正形態および代替形態を含むものとして解釈されることを意図する。
【図１】
0005622574.tif 000002
【図２】
0005622574.tif 000003